(57)【要約】【課題】情報を記録媒体に記録するとともに、時と場所を問わず情報の参照及びプリント注文を行うことができる情報通信システム、情報記録プログラム、情報管理プログラム及び表示プログラムを提供することにある。【解決手段】携帯電話機４０から取得される画像情報を記録媒体であるＣＤ−Ｒに記録するとともに当該画像情報の縮小情報（サムネイル画像情報、スクリーンネイル画像情報）、送信元識別情報（携帯番号情報）、記録媒体識別情報（アルバム情報）、パスワード情報を情報管理手段である情報管理サーバに送信して記録する。情報管理手段に対し移動通信端末である携帯電話機４０からアクセスが行われたときに、縮小画像情報の記録場所を示す携帯番号情報及びアルバム情報に基づいて要求された縮小情報を携帯電話機４０に送信する。【選択図】図１
2005184448.tif 000002
【特許請求の範囲】
【請求項１】
外部から入力される少なくとも画像情報を含む特定情報を取得する情報取得手段と、
前記取得された特定情報を記録媒体に記録する記録手段と、
前記取得された特定情報の縮小情報を生成する生成手段と、
前記生成された縮小情報を当該特定情報の送信元を示す送信元識別情報とともに通信回線に送出する送信手段と、
前記送信手段を介して送信された縮小情報及び送信元識別情報を記録管理し、前記送信元識別情報に基づくアクセスが行われたとき当該送信元識別情報に対応する特定情報の縮小情報を、前記通信回線を介して当該アクセスが行われた送信元に送信可能な情報管理手段と、
を備えたことを特徴とする情報通信システム。
【請求項２】
前記送信手段は、前記記録された記録媒体を識別する記録媒体識別情報を前記縮小情報及び送信元識別情報とともに通信回線に送出し
前記情報管理手段は、前記送信された記録媒体識別情報、縮小情報及び送信元識別情報を記録管理し、前記送信元識別情報及び記録媒体識別情報に基づくアクセスが行われたとき前記送信元識別情報及び記録媒体識別情報に対応する特定情報の縮小情報を、前記通信回線を介して当該アクセスが行われた送信元に送信可能な情報管理手段と、
を備えたことを特徴とする請求項１に記載の情報通信システム。
【請求項３】
前記通信回線を介して前記情報管理手段に前記送信元識別情報を送信し、かつ、前記情報管理手段から送信される前記縮小情報を受信可能であって、当該受信した特定情報の縮小情報を表示画面上に表示可能な表示手段を有する移動通信端末手段と、
を備えたことを特徴とする請求項１又は２に記載の情報通信システム。
【請求項４】
前記通信回線を介して前記情報管理手段に前記送信元識別情報及び記録媒体識別情報を送信し、かつ、前記情報管理手段から送信される前記記録媒体識別情報及び縮小情報を受信可能であって、当該受信した記録媒体識別情報及び縮小情報を表示画面上に表示可能な表示手段を有する移動通信端末手段と、
を備えたことを特徴とする請求項２に記載の情報通信システム。
【請求項５】
前記移動通信端末手段は、前記表示手段により表示された縮小情報に対応するプリント注文情報を、前記通信回線を介して情報管理手段に送信する注文情報送信手段をさらに有し、
前記情報管理手段は、前記送信されたプリント注文情報を受信し、当該プリント注文情報を当該プリント注文情報に対応する縮小情報とともに前記通信回線を介してプリント出力可能なプリント手段に送信することを特徴とする請求項３又は４に記載の情報通信システム。
【請求項６】
前記送信元識別情報は、電話番号、電子メールアドレスのうち少なくとも一つを含むことを特徴とする請求項１〜４の何れか一項に記載の情報通信システム。
【請求項７】
前記縮小情報は、当該縮小情報に対応する特定情報の生成日時を示す日時情報を含んでいることを特徴とする請求項１〜５の何れか一項に記載の情報通信システム。
【請求項８】
コンピュータに、
外部から入力される少なくとも画像情報を含む特定情報を取得する機能と、
前記取得された特定情報を記録媒体に記録する機能と、
前記取得された特定情報の縮小情報を生成する機能と、
前記生成された縮小情報を当該特定情報の送信元を示す送信元識別情報とともに通信回線に送出する機能と、
を実現させるための情報記録プログラム。
【請求項９】
前記コンピュータに、前記記録された記録媒体を識別する記録媒体識別情報を、前記縮小情報及び前記送信元識別情報とともに通信回線に送出する機能をさらに実現させるための請求項８に記載の情報記録プログラム。
【請求項１０】
前記送信元識別情報は、電話番号、電子メールアドレスのうち少なくとも一つを含むことを特徴とする請求項８又は９に記載の情報記録プログラム。
【請求項１１】
前記縮小情報は、当該縮小情報に対応する特定情報の生成日時を示す日時情報を付帯していることを特徴とする請求項８又は９に記載の情報記録プログラム。
【請求項１２】
サーバに搭載されるコンピュータに、
前記通信回線を介して送信される特定情報の縮小情報及び前記特定情報の送信元を示す送信元識別情報を受信する機能と、
前記受信された縮小情報及び送信元識別情報を記録管理する機能と、
前記送信元識別情報に基づくアクセスが行われたとき当該送信元識別情報に対応する特定情報の縮小情報を、前記通信回線を介して当該アクセスが行われた送信元に送信する機能と、
を実現させるための情報管理プログラム。
【請求項１３】
前記コンピュータに、
前記通信回線を介して送信される前記特定情報に対応する記録媒体識別情報を前記縮小情報及び前記特定情報とともに受信する機能と、
前記受信された記録媒体識別情報、縮小情報及び送信元識別情報を記録管理する機能と、
前記記録媒体識別情報に基づくアクセスが行われたとき前記送信元識別情報及び記録媒体識別情報に対応する特定情報の縮小情報を、前記通信回線を介してアクセスが行われた送信元に送信する機能と、
をさらに実現させるための請求項１２に記載の情報管理プログラム。
【請求項１４】
前記コンピュータに、
プリント注文情報を受信する機能と、
当該プリント注文情報を当該プリント注文情報に対応する縮小情報とともに前記通信回線を介してプリント出力可能なプリント手段に送信する機能と、
をさらに実現させるための請求項１２又は１３に記載の情報管理プログラム。
【請求項１５】
前記送信元識別情報は、電話番号、電子メールアドレスのうち少なくとも一つを含むことを特徴とする請求項１２又は１３に記載の情報管理プログラム。
【請求項１６】
前記縮小情報は、当該縮小情報に対応する特定情報の生成日時を示す日時情報を付帯していることを特徴とする請求項１２〜１４の何れか一項に記載の情報管理プログラム。
【請求項１７】
特定情報の縮小情報及び前記特定情報に対応する記録媒体識別情報を記録した情報管理手段に対し、通信回線を介して前記縮小情報の参照要求を送信する処理を実行するためのコンピュータに、
前記特定情報の送信元を示す送信元識別情報を送信する機能と、
前記情報管理手段から送信される前記縮小情報を受信する機能と、
当該受信した縮小情報を表示画面上に表示する機能と、
を実現させるための表示プログラム。
【請求項１８】
前記コンピュータに、
前記縮小情報及び前記記録媒体識別情報を受信する機能と、
前記受信された縮小情報及び記録媒体識別情報を表示画面上に表示する機能と、
を実現させるための請求項１７に記載の表示プログラム。
【請求項１９】
前記コンピュータに、
前記表示された縮小情報に対するプリント注文情報を、前記通信回線を介して前記情報管理手段に送信する機能をさらに実現させるための請求項１７又は１８に記載の表示プログラム。
【請求項２０】
前記送信元識別情報は、電話番号、電子メールアドレスのうち少なくとも一つを含むことを特徴とする請求項１７に記載の表示プログラム。
【請求項２１】
前記縮小情報は、当該縮小情報に対応する特定情報の生成日時を示す日時情報を付帯していることを特徴とする請求項１７〜１９の何れか一項に記載の表示プログラム。
【発明の詳細な説明】
【技術分野】
【０００１】
本発明は、記録媒体に記録された情報を記録、表示する情報通信システム、情報記録プログラム、情報管理プログラム及び表示プログラムに関する。
【背景技術】
【０００２】
近年、カメラで撮影した写真をデジタル画像情報として取り扱うユーザが増えている。例えば、デジタルカメラでは、情報記録媒体に記憶された画像情報をパソコン等のコンピュータ端末で読み込み、パソコンにインストールされた画像表示ソフトで再生することにより気軽に写真を閲覧することができる。
【０００３】
また、フィルムカメラで撮影した写真をデジタル画像情報に変換するサービスも行われており、例えば、ラボ等のフォトサービス店舗やコンビニエンスストア（以下、コンビニという。）等の注文店舗に撮影したネガフィルムを持ち込むと、フォトサービス店舗では、ネガフィルムを現像した後、スキャナ等でデジタルデータとして読み取り、読み取った画像情報をＣＤ−Ｒ等の情報記録媒体に書き込むといったサービスが行われている。
【０００４】
そして、画像情報が書き込まれたＣＤ−Ｒ等の情報記録媒体を受け取ったユーザは、自宅のパソコン等のコンピュータ端末を用いて再生することによりネガフィルムに記録された写真から読み取った画像情報をパソコン上で閲覧することができ、デジタルカメラを所有していないユーザであっても、写真をデジタル画像情報として取り扱うことができる。
【０００５】
また、特許文献１には、画像情報が格納された装置から、該画像情報に関連する関連情報のみを、ネットワーク上に配置した情報管理装置にアップロードして公開し、この公開情報を閲覧した情報処理装置がオリジナルの画像情報の送信要求を発信した場合に、該オリジナルの画像情報が格納された装置から情報処理装置に送信する情報管理方法が提案されている。
【特許文献１】特開２００３−１８５２３号公報
【発明の開示】
【発明が解決しようとする課題】
【０００６】
しかしながら、パソコン等のコンピュータ端末を用いなければ画像情報を閲覧することができないため、ユーザは、場所を問わずに何時でも画像情報を閲覧することはできなかった。また、特許文献１の方法では、オリジナルの画像情報を参照する際には画像情報が格納された装置（例えば、デジタルカメラ）がネットワークに接続されていなければならず、また、オリジナルの画像情報をデジタルカメラ内に保存しておかく必要があるため、デジタルカメラの記録容量を圧迫するという問題が生じる。また、画像情報に対するプリント注文は行うことができない。
【０００７】
本発明の課題は、情報を記録媒体に記録するとともに、時と場所を問わず情報の参照及びプリント注文を行うことができる情報通信システム、情報記録プログラム、情報管理プログラム及び表示プログラムを提供することにある。
【課題を解決するための手段】
【０００８】
請求項１の発明は、外部から入力される少なくとも画像情報を含む特定情報を取得する情報取得手段と、
前記取得された特定情報を記録媒体に記録する記録手段と、
前記取得された特定情報の縮小情報を生成する生成手段と、
前記生成された縮小情報を当該特定情報の送信元を示す送信元識別情報とともに通信回線に送出する送信手段と、
前記送信手段を介して送信された縮小情報及び送信元識別情報を記録管理し、前記送信元識別情報に基づくアクセスが行われたとき当該送信元識別情報に対応する特定情報の縮小情報を、前記通信回線を介して当該アクセスが行われた送信元に送信可能な情報管理手段と、
を備えたことを特徴としている。
【０００９】
ここで、記録媒体とは、ＣＤ−ＲＯＭ、ＣＤ−Ｒ、ＣＤ−ＲＷ、ＤＶＤ−ＲＯＭ、ＤＶＤ−ＲＡＭ、ＤＶＤ±Ｒ、ＤＶＤ±ＲＷ、ブルーレイディスク、ＭＯ等である。また、特定情報とは、静止画像情報、動画情報、楽曲音声情報、コンテンツ情報、アプリケーション情報等である。
【００１０】
特定情報とは、静止画像データ、動画データ、楽曲音声データ等をいう。また、縮小情報とは、特定情報に基づいて情報サイズ、容量等を縮小した情報であって、例えば、特定情報が静止画像情報である場合、解像度を低下させたディスプレイ表示に適した中程度の解像度を有する画像情報（以下、スクリーンネイル画像情報という。）や、低い解像度の画像情報（以下、サムネイル画像情報という。）等である。また、情報管理手段は、Ｗｅｂページ用ファイルを提供するＷｅｂサーバ機能を有することが好ましい。
【００１１】
請求項２の発明は、請求項１に記載の情報通信システムにおいて、
前記送信手段は、前記記録された記録媒体を識別する記録媒体識別情報を前記縮小情報及び送信元識別情報とともに通信回線に送出し
前記情報管理手段は、前記送信された記録媒体識別情報、縮小情報及び送信元識別情報を記録管理し、前記送信元識別情報及び記録媒体識別情報に基づくアクセスが行われたとき前記送信元識別情報及び記録媒体識別情報に対応する特定情報の縮小情報を、前記通信回線を介して当該アクセスが行われた送信元に送信可能な情報管理手段と、
を備えたことを特徴としている。
【００１２】
請求項３の発明は、請求項１又は２に記載の情報通信システムにおいて、
前記通信回線を介して前記情報管理手段に前記送信元識別情報を送信し、かつ、前記情報管理手段から送信される前記縮小情報を受信可能であって、当該受信した特定情報の縮小情報を表示画面上に表示可能な表示手段を有する移動通信端末手段と、
を備えたことを特徴としている。
【００１３】
ここで、移動通信端末手段は、携帯電話機、ＰＤＡ（Personal Digital Assistant）等の移動情報端末である。
【００１４】
請求項４の発明は、請求項２に記載の情報通信システムにおいて、
前記通信回線を介して前記情報管理手段に前記送信元識別情報及び記録媒体識別情報を送信し、かつ、前記情報管理手段から送信される前記記録媒体識別情報及び縮小情報を受信可能であって、当該受信した記録媒体識別情報及び縮小情報を表示画面上に表示可能な表示手段を有する移動通信端末手段と、
を備えたことを特徴としている。
【００１５】
請求項５の発明は、請求項３又は４に記載の情報通信システムにおいて、
前記移動通信端末手段は、前記表示手段により表示された縮小情報に対応するプリント注文情報を、前記通信回線を介して情報管理手段に送信する注文情報送信手段をさらに有し、
前記情報管理手段は、前記送信されたプリント注文情報を受信し、当該プリント注文情報を当該プリント注文情報に対応する縮小情報とともに前記通信回線を介してプリント出力可能なプリント手段に送信することを特徴としている。
【００１６】
請求項６の発明は、請求項１〜４の何れか一項に記載の情報通信システムにおいて、
前記送信元識別情報は、電話番号、電子メールアドレスのうち少なくとも一つを含むことを特徴としている。
【００１７】
請求項７の発明は、請求項１〜５の何れか一項に記載の情報通信システムにおいて、
前記縮小情報は、当該縮小情報に対応する特定情報の生成日時を示す日時情報を含んでいることを特徴としている。
【００１８】
請求項８の発明は、コンピュータに、
外部から入力される少なくとも画像情報を含む特定情報を取得する機能と、
前記取得された特定情報を記録媒体に記録する機能と、
前記取得された特定情報の縮小情報を生成する機能と、
前記生成された縮小情報を当該特定情報の送信元を示す送信元識別情報とともに通信回線に送出する機能と、
を実現させる。
【００１９】
ここで、コンピュータとは、バスで接続されたＣＰＵ、ＲＯＭ、ＲＡＭ及びＩ／Ｏを基本構成とする装置であって、マイクロコンピュータ、マイクロプロセッサ等を含み、その組み込み先装置の如何（例えば、パソコン、キオスク、店頭端末、ＤＶＤレコーダ、ＨＤＤレコーダ、ブルーレイディスクレコーダ、ホームサーバ、ゲーム機、ＨＤＤナビゲーションシステム等）を問わない。したがって、本発明に係るプログラムは上記コンピュータのＲＯＭに格納され、ＣＰＵの統括的制御下においてＲＡＭに展開され、実行に供されるものであるから、本発明のコンピュータプログラムの技術的範囲は、当該プログラムが搭載されたコンピュータの格納先の装置に及ぶものである（以下、同様）。
【００２０】
請求項９の発明は、請求項８に記載の情報記録プログラムにおいて、
前記コンピュータに、前記記録された記録媒体を識別する記録媒体識別情報を、前記縮小情報及び前記送信元識別情報とともに通信回線に送出する機能をさらに実現させる。
【００２１】
請求項１０の発明は、請求項８又は９に記載の情報記録プログラムにおいて、
前記送信元識別情報は、電話番号、電子メールアドレスのうち少なくとも一つを含むことを特徴としている。
【００２２】
請求項１１の発明は、請求項８又は９に記載の情報記録プログラムにおいて、
前記縮小情報は、当該縮小情報に対応する特定情報の生成日時を示す日時情報を付帯していることを特徴としている。
【００２３】
請求項１２の発明は、サーバに搭載されるコンピュータに、
前記通信回線を介して送信される特定情報の縮小情報及び前記特定情報の送信元を示す送信元識別情報を受信する機能と、
前記受信された縮小情報及び送信元識別情報を記録管理する機能と、
前記送信元識別情報に基づくアクセスが行われたとき当該送信元識別情報に対応する特定情報の縮小情報を、前記通信回線を介して当該アクセスが行われた送信元に送信する機能と、
を実現させる。
【００２４】
ここで、サーバとは、Ｗｅｂページ用ファイルを提供するＷｅｂサーバ機能を有するサーバをいう。
【００２５】
請求項１３の発明は、請求項１２に記載の情報管理プログラムにおいて、
前記コンピュータに、
前記通信回線を介して送信される前記特定情報に対応する記録媒体識別情報を前記縮小情報及び前記特定情報とともに受信する機能と、
前記受信された記録媒体識別情報、縮小情報及び送信元識別情報を記録管理する機能と、
前記記録媒体識別情報に基づくアクセスが行われたとき前記送信元識別情報及び記録媒体識別情報に対応する特定情報の縮小情報を、前記通信回線を介してアクセスが行われた送信元に送信する機能と、
をさらに実現させる。
【００２６】
請求項１４の発明は、請求項１２又は１３に記載の情報管理プログラムにおいて、
前記コンピュータに、
プリント注文情報を受信する機能と、
当該プリント注文情報を当該プリント注文情報に対応する縮小情報とともに前記通信回線を介してプリント出力可能なプリント手段に送信する機能と、
をさらに実現させる。
【００２７】
請求項１５の発明は、請求項１２又は１３に記載の情報管理プログラムにおいて、
前記送信元識別情報は、電話番号、電子メールアドレスのうち少なくとも一つを含むことを特徴としている。
【００２８】
請求項１６の発明は、請求項１２〜１４の何れか一項に記載の情報管理プログラムにおいて、
前記縮小情報は、当該縮小情報に対応する特定情報の生成日時を示す日時情報を付帯していることを特徴としている。
【００２９】
請求項１７の発明は、特定情報の縮小情報及び前記特定情報に対応する記録媒体識別情報を記録した情報管理手段に対し、通信回線を介して前記縮小情報の参照要求を送信する処理を実行するためのコンピュータに、
前記特定情報の送信元を示す送信元識別情報を送信する機能と、
前記情報管理手段から送信される前記縮小情報を受信する機能と、
当該受信した縮小情報を表示画面上に表示する機能と、
を実現させる。
【００３０】
請求項１８の発明は、請求項１７に記載の表示プログラムおいて、
前記コンピュータに、
前記縮小情報及び前記記録媒体識別情報を受信する機能と、
前記受信された縮小情報及び記録媒体識別情報を表示画面上に表示する機能と、
を実現させる。
【００３１】
請求項１９の発明は、請求項１７又は１８に記載の表示プログラムにおいて、
前記コンピュータに、
前記表示された縮小情報に対するプリント注文情報を、前記通信回線を介して前記情報管理手段に送信する機能をさらに実現させる。
【００３２】
請求項２０の発明は、請求項１７に記載の表示プログラムにおいて、
前記送信元識別情報は、電話番号、電子メールアドレスのうち少なくとも一つを含むことを特徴としている。
【００３３】
請求項２１に発明は、請求項１７〜１９の何れか一項に記載の表示プログラムにおいて、
前記縮小情報は、当該縮小情報に対応する特定情報の生成日時を示す日時情報を付帯していることを特徴としている。
【発明の効果】
【００３４】
請求項１、８、１２に記載の発明によれば、特定情報を記録媒体への記録とともに当該特定情報の縮小情報と送信元識別情報を情報管理手段に送信して記録することで、情報管理手段に対しアクセスが行われたときに、送信元識別情報に基づいた縮小情報を当該アクセスの送信元に対し送信することができる。したがって、情報管理手段にアクセスすることにより、時と場所を問わず縮小情報の参照を行うことができる。
【００３５】
請求項２、９、１３に記載の発明によれば、特定情報を記録媒体への記録とともに当該特定情報の縮小情報、送信元識別情報及び記録媒体識別情報を情報管理手段に送信して記録することで、情報管理手段に対しアクセスが行われたときに、送信元識別情報及び記録媒体識別情報に基づいた縮小情報を当該アクセスの送信元に対し送信することができる。したがって、情報管理手段にアクセスすることにより、時と場所を問わず縮小情報の参照を行うことができる。
【００３６】
請求項３、１７に記載の発明によれば、情報管理手段に送信元識別情報を送信して、情報管理手段から送信元識別情報に基づいて送信される前記特定情報の縮小情報を受信して、縮小情報を表示画面上に表示することにより、時と場所を問わず縮小情報の参照を行うことができる。
【００３７】
請求項４、１８に記載の発明によれば、情報管理手段に送信元識別情報及び記録媒体識別情報を送信して、情報管理手段から送信元識別情報及び記録媒体識別情報に基づいて送信される記録媒体識別情報及び縮小情報を受信して、記録媒体識別情報及び縮小情報を表示画面上に表示することにより、時と場所を問わず縮小情報の参照を行うことができる。
【００３８】
請求項５、１４、１９に記載の発明によれば、移動通信端末に表示された縮小情報に対応するプリント注文情報を、情報管理手段に送信し、情報管理手段は、前記送信されたプリント注文情報を受信し、当該プリント注文情報を当該プリント注文情報に対応する縮小情報とともに前記通信回線を介してプリント出力可能なプリント手段に送信することで、時と場所を問わず縮小情報の参照を行うとともに、プリントの注文を行うことができる。
【００３９】
請求項６、１０、１５、２０に記載の発明によれば、送信元識別情報が、電話番号、電子メールアドレスのうち少なくとも一つを含むことにより、特定情報の記録に係るユーザを識別することができる。
【００４０】
請求項７、１１、１６、２１に記載の発明によれば、縮小情報が、当該縮小情報に対応する特定情報の生成日時を示す日時情報を付帯していることにより、特定情報が生成された日時を当該特定情報に対応する縮小画像から知ることができる。
【発明を実施するための最良の形態】
【００４１】
以下、添付図を参照して、本発明を実施するための最良の形態を詳細に説明する。ただし、発明の範囲は、図示例に限定されない。
【００４２】
図１に本実施の形態に係る情報通信システム１００の全体構成を示す。図１に示すように、情報通信システム１００は、情報記録装置１０と、情報管理手段としての情報管理サーバ３０と、移動通信端末手段としての携帯電話機４０と、プリント手段としてのラボ６０とから構成され、通信ネットワークＮを介して情報の送受信が可能に接続されている。
【００４３】
なお、図１においては、情報記録装置１０、情報管理サーバ３０、携帯電話機４０、ラボ６０が各々１つずつ接続された例を示しているが、これらの数は特に限定されない。
【００４４】
情報記録装置１０は、ユーザにより持ち込まれる特定情報が記録された記録カードＭ、記録媒体Ｄ１、デジタルカメラＣ１又はカメラ付き携帯電話機Ｃ２等の情報記録媒体から特定情報を取得し、取得された特定情報の縮小情報を生成して、通信ネットワークＮを介して接続された情報管理サーバ３０に縮小情報の送信を行うとともに、ユーザにより装填されるブランク記録媒体に対し、特定情報の記録を行う。
【００４５】
なお、記録カードＭは、スマートメディア、コンパクトフラッシュ（登録商標）、メモリースティック（登録商標）、ＳＤメモリーカード、マルチメディアカード等であり、メディア装填部１７ａに装填され、記録された特定情報が取得される。記録媒体Ｄ１は、ＣＤ−ＲＯＭ、ＣＤ−Ｒ、ＣＤ−ＲＷ、ＤＶＤ−ＲＯＭ、ＤＶＤ−ＲＡＭ、ＤＶＤ±Ｒ、ＤＶＤ±ＲＷ、ブルーレイディスク、ＭＯ等であり、記録媒体装填部１７ｂに装填され、記録された特定情報が取得される。また、デジタルカメラＣ１又はカメラ付き携帯電話機Ｃ２は、機器接続部１７ｃに接続され、記録された特定情報が取得される。
【００４６】
本実施の形態では、情報記録装置１０として、特定情報の読み込み、特定情報の書き込み等の一連の処理を行うことができる無人端末（いわゆるキオスク）を用いる例をについて説明するが、これに限定されず、特定情報の読み書き機能を備えた、パソコン、店頭端末、ＤＶＤレコーダ、ＨＤＤレコーダ、ブルーレイディスクレコーダ、ホームサーバ、ポータブルライター、ゲーム機、ＨＤＤナビゲーションシステム等であってもよい。
【００４７】
情報管理サーバ３０は、通信ネットワークＮを介して接続された情報記録装置１０より送信される縮小情報等を受信し、情報管理サーバ３０に備えられる記録手段としての記憶部（不図示）に記録を行う。また、記録された特定情報等を、通信ネットワークＮを介して携帯電話機４０に提供し、携帯電話機４０より送信される縮小情報のプリント注文情報を仲介してラボ６０に送信するとともにプリント注文に対応する縮小情報をラボ６０に送信する。なお、情報管理サーバ３０は、Ｗｅｂページ用ファイルを提供するＷｅｂサーバ機能を有している。
【００４８】
携帯電話機４０は、撮影機能を有しており、ユーザにより入力部４２を介して操作されることで画像の撮影を行い、撮影された画像情報を図示しない画像メモリに記録する。また、通信ネットワークＮを介して情報管理サーバ３０に接続されることにより、情報管理サーバ３０に記録された縮小情報を取得して表示部４３に表示するとともに画像メモリに記録を行う。また、入力部４２を介してユーザにより入力されるプリント注文情報を、情報管理サーバ３０に送信を行う。なお、本実施の形態では撮影機能を有する携帯電話機としたが、これに限定されず、撮影機能を有しない携帯電話機でもよいし、ＰＤＡ等の移動情報端末でもよい。
【００４９】
ラボ６０は、画像情報のプリントが可能な装置あって、情報管理サーバ３０から通信ネットワークＮを介して送信される縮小画像情報及びプリント注文情報を受信すると、当該注文情報に従った縮小画像情報のプリントを行う。
【００５０】
通信ネットワークＮは、専用線や既存の一般公衆回線を利用して構築された通信ネットワークであり、ＬＡＮ（Local Area Network）やＷＡＮ（Wide Area Network）等の様々な回線形態を適用することが可能である。ネットワークＮには、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。また、接続形態は有線接続、無線接続を問わないものとする。
【００５１】
次に、図１で示した情報記録装置１０の構成を説明する。
図２は、情報記録装置１０の機能的構成を示す図である。図２に示すように、情報記録装置は、ＣＰＵ１１、入力部１２、表示部１３、通信制御部１４、ＲＡＭ１５、記憶部１６、情報取得手段としての情報取得部１７、画像処理部１８、記録媒体識別部１９、書込部２０により構成され、各部はデータの送受信が可能なようにバス２１により接続されている。
【００５２】
ＣＰＵ１１は、情報記録装置１０内の各部を中央制御する。ＣＰＵ１１は、記憶部１６に記憶されている各種プログラムの中から指定されたプログラムをＲＡＭ１５のワークエリアに適宜展開し、ＲＡＭ１５上のプログラムとの協働により各種処理を実行し、その処理結果をＲＡＭ１５の所定の領域に格納するとともに、表示部１３に表示させる。
【００５３】
具体的には、ユーザにより持ち込まれる特定情報が記録された記録カードＭ、記録媒体Ｄ１、デジタルカメラＣ１又はカメラ付き携帯電話機Ｃ２等の情報記録媒体から特定情報の取得と送信元識別情報の取得を行い、取得された特定情報に基づいて縮小情報の生成を行い、ユーザにより装填されたブランク記録媒体に固有な記録媒体識別情報（以下、アルバム情報という。）を生成し、さらに、通信ネットワークＮを介して接続された情報管理サーバ３０に対して縮小情報、送信元識別情報及びアルバム情報の送信を行うとともに、ブランク記録媒体に特定情報の記録を行う。
【００５４】
入力部１２は、カーソルキー、数字入力キー、及び各種機能キー等を備えたキーボードを含み、このキーボードで押下されたキーに対応する押下信号をＣＰＵ１１に出力する。なお、入力部１２は、必要に応じてマウス、タッチパネル等のポインティングデバイスや、その他の入力装置を備えることとしてもよい。
【００５５】
表示部１３は、ＬＣＤ（Liquid Crystal Display）やＣＲＴ（Cathode Ray Tube）等により構成され、ＣＰＵ１１から入力される表示信号の指示に従って、通信制御部１４から入力された画像情報等の各種情報、情報取得部１７により取得される特定情報等の表示を行う。
【００５６】
通信制御部１４は、ＬＡＮやＷＡＮ、或いはインターネット等の通信ネットワークＮに接続された伝送媒体に接続可能なインターフェイスであり、モデム又はターミナルアダプタ等によって構成される。通信制御部１４は、電話回線網、ＩＳＤＮ回線網、専用線、移動体通信網、通信衛星回線、ＣＡＴＶ回線網等の通信回線を介して情報管理サーバ３０等の外部機器との通信を行うための制御を行う。
【００５７】
ＲＡＭ１５は、書き換え可能な半導体素子で構成されており、ＣＰＵ１１によって実行される各種プログラムやこれら各種プログラムによって処理されたデータ等を一時的に記憶するワークエリアを形成する。
【００５８】
記憶部１６は、プログラムやデータ等予め記憶されている記録媒体（不図示）を有しており、この記録媒体は磁気的、光学的記録媒体、若しくは半導体メモリで構成されている。この記録媒体は、記憶部１６に固定的に設けられるもの、若しくは着脱自在に装着するものであり、この記録媒体には、システムプログラム、当該システムに対応する各種処理プログラム、及び各種処理プログラムで処理されたデータ等を記憶する。なお、プログラムは、コンピュータが読取可能なプログラムコードの形態で格納され、ＣＰＵ１１は、当該プログラムコードに従った動作を逐次実行する。
【００５９】
情報取得手段としての情報取得部１７は、スマートメディア、コンパクトフラッシュ、メモリースティック、ＳＤメモリーカード、マルチメディアカード等の記録媒体を装填するメディア装填部１７ａと、ＣＤ−ＲＯＭ、ＣＤ−Ｒ、ＣＤ−ＲＷ、ＤＶＤ−ＲＯＭ、ＤＶＤ−ＲＡＭ、ＤＶＤ±Ｒ、ＤＶＤ±ＲＷ、ブルーレイディスク、ＭＯ等の記録媒体を装填する記録媒体装填部１７ｂと、デジタルカメラやカメラ付き携帯電話機等の記録媒体を有した撮影機器を有線又は無線、赤外線等によって接続するための機器接続部１７ｃとから構成され、装填される記録媒体又は接続される機器に記録された静止画像データ、動画データ、楽曲音声データ、コンテンツデータ、アプリケーションデータ等の読み出しを行う。
【００６０】
生成手段としての画像処理部１８は、ＣＰＵ１１による指示に従い、取得された情報に対し、縮小処理を行う。具体的には、情報が静止画像情報の場合、本画像情報に基づいて、解像度を低下させたディスプレイ表示に適した中程度の解像度を有する画像情報（以下、スクリーンネイル画像情報という。）や、低い解像度の画像情報（以下、サムネイル画像情報という。）が画像処理部１８によって生成される。また、情報が動画情報や音声情報である場合は、圧縮率を高める処理や、編集等行うことにより要約する処理が施される。
【００６１】
ここで、特定情報には撮影等により生成された日付を示す日付情報やタイトルを示すタイトル情報等の付帯情報が付帯されているとし、縮小処理の際に生成される縮小情報には、当該縮小情報に対応する特定情報の付帯情報が、同様に付帯されるものとする。なお、本実施の形態に限定されず、特定情報に付帯する付帯情報を、縮小処理の際に別ファイルとして記録することとしてもよい。
【００６２】
記録媒体識別部１９は、ブランク記録媒体に固有のアルバム情報を生成して当該ブランク記録媒体の記録面及び／又はブランク記録媒体のレーベル面に対しアルバム情報の記録を行う。なお、記録媒体のレーベル面への記録は、レーベル面に備えられたＩＣチップへのアルバム情報の記録、バーコード又は二次元バーコード等の印刷により行う。また、ブランク記録媒体に予めアルバム情報が記録されている場合、記録媒体識別部２０は、当該アルバム情報を検出してＣＰＵ１１に出力を行う。なお、ここでアルバム情報は、ファイル名の重複等を避けるためユニークであることが好ましく、特定情報の生成日時、縮小情報の生成日時、特定情報の付帯情報、情報記録装置１０に予め設定された識別情報等に基づいて生成されるとしてもよい。また、特定の情報記録装置でのみ読み取り可能なように暗号化されて記録されていてもよい。
【００６３】
記録手段としての書込部２０は、記録媒体の情報読出し及び書き込みが可能なドライブである。書込部２０は、ＣＰＵ１１の制御に従って、記憶部５に記憶された情報を装填されたブランク記録媒体に書き込む。なお、記録媒体は、ＣＤ−ＲＯＭ、ＣＤ−Ｒ、ＣＤ−ＲＷ，ＤＶＤ−ＲＯＭ、ＤＶＤ±Ｒ、ＤＶＤ±ＲＷ、ＤＶＤ−ＲＡＭ、ブルーレイディスク、ＭＯ等の記録媒体である。
【００６４】
次に、図１に示した情報管理サーバ３０の構成を説明する。
図３は、情報管理サーバ３０の機能的構成を示す図である。図３に示すように、情報管理サーバ３０は、ＣＰＵ３１、入力部３２、表示部３３、通信制御部３４、ＲＡＭ３５、記憶部３６により構成され、各部はデータの送受信が可能なようにバス３７により接続されている。
【００６５】
ＣＰＵ３１は、情報管理サーバ３０内の各部を中央制御する。ＣＰＵ３１は、記憶部３６に記憶されている各種プログラムの中から指定されたプログラムをＲＡＭ３５のワークエリアに適宜展開し、ＲＡＭ３５上のプログラムとの協働により各種処理を実行し、その処理結果をＲＡＭ３５の所定の領域に格納するとともに、表示部３３に表示させる。
【００６６】
具体的には、通信ネットワークＮを介して情報記録装置１０より送信される縮小情報、送信元識別情報及びアルバム情報を受信し、受信された縮小情報を送信元識別情報及びアルバム情報に関連付けて記憶部３６に記録を行う。
【００６７】
また、通信ネットワークＮを介して携帯電話機４０から送信される縮小情報参照要求を受信して、当該縮小情報参照要求に含まれる送信元識別情報及びアルバム情報に対応する縮小情報をアルバム情報とともに通信制御部３４を介して携帯電話機４０に送信を行う。さらに、携帯電話機４０より送信される縮小画像情報のプリント注文要求を通信制御部３４を介して受信し、当該プリント注文要求に含まれる縮小画像情報を前記プリント注文要求とともにラボ６０に通信制御部３４を介して送信を行う。なお、縮小情報には日付情報やタイトル情報等が付帯されているものとする。
【００６８】
入力部３２は、カーソルキー、数字入力キー、及び各種機能キー等を備えたキーボードを含み、このキーボードで押下されたキーに対応する押下信号をＣＰＵ３１に出力する。なお、入力部３２は、必要に応じてマウス、タッチパネル等のポインティングデバイスや、その他の入力装置を備えることとしてもよい。
【００６９】
表示部３３は、ＬＣＤやＣＲＴ等により構成され、ＣＰＵ３１から入力される表示信号の指示に従って、通信制御部３４から入力された画像情報等の各種情報の表示を行う。
【００７０】
通信制御部３４は、ＬＡＮやＷＡＮ、或いはインターネット等のネットワークＮに接続された伝送媒体に接続可能なインターフェイスであり、モデム又はターミナルアダプタ等によって構成される。通信制御部３４は、電話回線網、ＩＳＤＮ回線網、専用線、移動体通信網、通信衛星回線、ＣＡＴＶ回線網等の通信回線を介して情報記録装置１０、携帯電話機４０、ラボ６０等の外部機器との通信を行うための制御を行う。
【００７１】
ＲＡＭ３５は、書き換え可能な半導体素子で構成されており、ＣＰＵ３１によって実行される各種プログラムやこれら各種プログラムによって処理されたデータ等を一時的に記憶するワークエリアを形成する。
【００７２】
記憶部３６は、プログラムやデータ等予め記憶されている記録媒体（不図示）を有しており、この記録媒体は磁気的、光学的記録媒体、若しくは半導体メモリで構成されている。この記録媒体は、記憶部１６に固定的に設けられるもの、若しくは着脱自在に装着するものであり、この記録媒体には、システムプログラム、当該システムに対応する各種処理プログラム、及び各種処理プログラムで処理されたデータ等を記憶する。なお、プログラムは、コンピュータが読取可能なプログラムコードの形態で格納され、ＣＰＵ１１は、当該プログラムコードに従った動作を逐次実行する。
【００７３】
記憶部３６は、通信ネットワークＮを介して情報記録装置１０より送信される縮小情報を送信元識別情報、アルバム情報及びパスワード情報の記録をＣＰＵ３１の制御に従って記録を行う。
【００７４】
次に、携帯電話機４０の構成を説明する。図４は、携帯電話機４０の機能的構成を示す図である。図４に示すように、携帯電話機４０は、ＣＰＵ４１，入力部４２，表示部４３，無線通信部４４，ＲＯＭ４５，ＲＡＭ４６，撮影部４７，電源部４８，画像メモリ４９，接続部５０等から構成され、これらがバス５１により互いに接続されている。
【００７５】
ＣＰＵ４１は、携帯電話機４０内の各部を中央制御する。ＣＰＵ４１は、ＲＯＭ４５に記憶されている各種プログラムの中から指定されたプログラムをＲＡＭ４６のワークエリアに適宜展開し、ＲＡＭ４６上のプログラムとの協働により各種処理を実行し、その処理結果をＲＡＭ４６の所定の領域に格納するとともに、表示部４３に表示させる。
【００７６】
具体的には、情報管理サーバ３０に対し、縮小情報参照要求の送信を無線通信部４４介して行い、情報管理サーバ３０から送信される縮小情報及びアルバム情報を、無線通信部４４を介して受信し、表示部４３に表示させる。また、縮小画像情報に対するプリント注文要求を無線通信部４４介して情報管理サーバ３０に送信を行う。
【００７７】
入力部４２は、文字入力キー，数字入力キーその他各種機能に対応付けられたキーを備えており、ユーザによるキー操作で押下されたキーに対応する信号をＣＰＵ４１に出力するようになっている。また入力部４２には撮影部４７による被写体の撮影をおこなうシャッターキーが備えられており、入力部４２は、ユーザによるシャッターキーの操作で被写体を撮影する旨の制御信号をＣＰＵ４１に出力する。
【００７８】
表示手段としての表示部４３は、ＬＣＤ等から構成されており、ＣＰＵ４１から入力された表示データに基づいてディスプレイ上に画像情報を表示する。表示部４３は、被写体の撮影時に撮影部４７の撮像素子から取り込まれた画像情報をプレビュー画像として表示したり、実画像として表示したりする。また、表示部４３は、情報管理サーバ３０より送信される記録情報、縮小情報の表示を行う。
【００７９】
注文情報送信手段としての無線通信部４４は、通信サービス事業者が設置した無線基地局（図示略）との間で着信・発信等に係る無線信号の送受信をおこなうアンテナを備えており、ＣＰＵ４１から入力される指示に従いながら無線基地局との間で携帯電話機４０用の通信プロトコルを実行して送受話音声の送受信や情報管理サーバ３０とのデータ通信等を実行する。
【００８０】
ＲＯＭ４５は、書き換え可能な記録媒体であって、ＣＰＵ４１により実行される携帯電話機４０用のアプリケーションプログラムや通信処理プログラム等を記憶している。
【００８１】
ＲＡＭ４６は、書き換え可能な半導体素子で構成されており、ＣＰＵ４１により実行される各種プログラムやこれらプログラムにより処理されたデータ等を一時的に格納するワークエリアを形成する。
【００８２】
撮影部４７は、ガラス，プラスチック等からなる光学レンズと、ＣＣＤ（Charge Coupled Device），ＣＭＯＳ（Complementary Metal Oxide Semiconductor）等の撮像素子とから構成されており、光学レンズを介して入力される被写体の像を撮像素子で電気信号に変換して画像情報を生成する。
【００８３】
電源部４８は、リチウム電池，ニッケル電池，ニカド電池等の２次電池により構成されており、ユーザによる入力部４２の操作で電源が投入されると、ＣＰＵ４１の制御信号に応じてプラス側の端子とマイナス側の端子とから携帯電話２の各部を駆動する駆動回路に所定電圧の電源を供給する。
【００８４】
画像メモリ４９は、半導体メモリ等から構成されており、撮影部４７により撮影された被写体の像を画像情報として記憶するようになっている。また、無線通信部４４介して情報管理サーバ３０より送信される縮小情報の記録を行う。
【００８５】
接続部５０は、情報記録装置１０との通信等を可能とするインターフェイスである。
また、ＣＲＴやＬＣＤ等の外部表示装置に出力可能なインターフェイスを備えているとする。
【００８６】
以下、本実施の形態における情報通信システム１００の動作を説明する。
ユーザが情報記録装置１０に画像情報が記録された携帯電話機Ｃ２を機器接続部１７ｃに接続し、ブランク記録媒体であるＣＤ−Ｒを書込部２０に装填し、情報管理サーバ３０への縮小画像情報の記録及びＣＤ−Ｒへの記録が行われるまでの処理を、図５、図６を参照して説明する。なお、ユーザにより情報記録装置１０の機器接続部１７ｃに接続される携帯電話機Ｃ２が、携帯電話機４０と同一とする場合を例示する。
【００８７】
図５は、情報記録装置１０の情報記録処理を示すフローチャートである。
まず、ユーザにより持ち込まれた携帯電話機４０が機器接続部１７ｃに接続され（ステップＳ１；Ｙｅｓ）、情報の記録を行うＣＤ−Ｒが書込部２０に装填される（ステップＳ２；Ｙｅｓ）。
【００８８】
次いで、携帯電話機４０に記録された画像情報が機器接続部１７ｃを介して取得されて記憶部１６に記録される（ステップＳ３）。さらに、携帯電話機４０の電話番号情報（以下、携帯番号情報という。）が取得されて記憶部１６に記録される（ステップＳ４）。なお、ここで携帯番号情報の取得は、携帯電話機４０から自動的に取得されることとしてもよいし、ユーザにより入力部１２を介して入力される携帯番号情報を取得することとしてもよい。
【００８９】
次に、ＣＰＵ１１の制御によって、表示部１３にパスワードの入力設定を促す旨の画面が表示され、ユーザにより入力部１２を介してパスワードが入力されると、パスワード情報としてＣＰＵ１１に出力される（ステップＳ５；Ｙｅｓ）。ここで、パスワード情報は、情報管理サーバ３０に記録される縮小画像情報へのアクセスを制限、許可するための情報である。なお、パスワード情報を設定しないとしてもよいが、セキュリティ観点上、設定を行うことが好ましい。
【００９０】
次いで、ＣＰＵ１１の制御によって、表示部１３にＣＤ−Ｒに画像情報の記録を行う旨の画面が表示され、ユーザにより表示部１２に表示される。ここで、記録を行わない旨の入力信号がＣＰＵ１１に出力されると（ステップＳ６；Ｎｏ）、本処理は直ちに終了する。
【００９１】
一方、ＣＤ−Ｒへの情報書込開始を旨する釦が入力されると（ステップＳ６；Ｙｅｓ）、記録媒体識別部１８により書込部２０に装填されたＣＤ−Ｒに固有のアルバム情報が生成され、ＣＰＵ１１に出力される（ステップＳ７）。なお、ＣＤ−Ｒに予めアルバム情報が記録されている場合は、当該アルバム情報を検出しＣＰＵ１１に出力される。
【００９２】
次いで、画像処理部１８により取得された画像情報から縮小画像情報の生成が行われ、生成された縮小画像情報が記憶部１６に記録される（ステップＳ８）。さらに、書込部２０により画像情報がステップＳ８で生成された縮小画像情報とともにＣＤ−Ｒに記録される（ステップＳ９）。なお、ここで縮小画像情報とは、サムネイル画像情報及びスクリーンネイル画像情報をいう。また、画像情報及び縮小画像情報がＣＤ−Ｒに記録されるとしたが、これに限定されず、画像情報のみＣＤ−Ｒに記録されるとしてもよい。
【００９３】
次に、ＣＰＵ１１の制御により、縮小画像情報、携帯番号情報、パスワード情報及びアルバム情報が通信ネットワークＮを介して情報管理サーバ３０に送信される（ステップＳ１０）。
【００９４】
ＣＤ−Ｒへの記録の完了及び情報管理サーバ３０への各種情報の送信が完了すると、ＣＰＵ１１の制御により、記憶部に記録された画像情報及び縮小画像情報の消去が行われ、画像情報を記録したＣＤ−Ｒを排出して、本処理は終了する（ステップＳ１１；Ｙｅｓ）。
【００９５】
なお、ステップＳ９、ステップＳ１０の処理順序は、適宜変更可能であるとし、記録を行う画像情報のサイズ、通信ネットワークＮのトラフィック混雑状況により処理を開始するタイミングをＣＰＵ１１が制御することとしてもよい。
【００９６】
次に、図６のフローチャートを参照して情報管理サーバ３０の情報記録処理を説明する。
通信ネットワークＮを介して情報記録装置１０より送信された縮小画像情報、携帯番号情報、パスワード情報及びアルバム情報が受信されると（ステップＳ２１；Ｙｅｓ）、ＣＰＵ２１の制御により、記憶部３６に携帯番号情報に対応付けて縮小画像情報、パスワード情報及びアルバム情報が記録される（ステップＳ２２）。このようにユーザを識別する携帯番号情報に対応付けて記録を行うことで、縮小画像情報の検索、管理を容易にすることが可能となり、また、携帯番号情報はユニークに定められているため他のユーザの縮小画像情報とファイル名の重複が発生しない。さらに、後述するプリント注文の際に発生するプリント料金を、携帯番号情報に基づいて課金を行うことができる。
【００９７】
記憶部３６への記録が完了すると、ＣＰＵ３１の制御によって、携帯番号情報に対し記録完了の旨の情報が電子メールにて送信され（ステップＳ２３）、本処理は終了する。つまり、本実施の形態では携帯電話機４０に記録完了の旨の情報が電子メールにて送信される。なお、本実施の形態では、電子メールの送信が情報管理サーバから行われることとしたが、これに限定されず、通信ネットワークＮに接続された、異なるサーバ装置から電子メールの送信が行われることとしてもよい。また、情報記録装置１０に対して、記録完了の旨の情報を送信することとしてもよい。
【００９８】
図７は、携帯電話機４０、ＣＤ−Ｒ、情報管理サーバ３０に記録された画像情報及び縮小画像情報のフォルダ構造例を示す図である。
図７（ａ）は、携帯電話機４０に記録された画像情報のフォルダ構造を示しており、画像情報格納フォルダ（１００ＫＯＮＩＣ）以下に画像情報が記録されている。情報記録装置１０により、これら画像情報の取得が行われ（ステップＳ３）、当該画像情報に基づいて縮小画像情報が生成され（ステップＳ８）、ＣＤ−Ｒに記録される（ステップＳ９）とともに情報管理サーバ３０に送信される（ステップＳ１０）。
【００９９】
図７（ｂ）は、情報記録装置１０により画像情報及び縮小画像情報が記録された後のＣＤ−Ｒのフォルダ構造を示している。画像情報格納フォルダ（ＰＳ＿Ｉｍａｇｅ）に生成される、画像群フォルダ（０３＿０７１１＿００００００１００１＿００１）以下に、取得された画像情報が記録される。また、生成された縮小画像情報であるサムネイル画像情報及びスクリーンネイル画像情報が、各々フォルダ（ＴＨＭ）、（ＳＣＲＥＥＮ）以下に記録される。なお、ここで画像群とは、例えば、予め設定された画像数やデータ量毎等の基準に応じて分類される単位をいう。
【０１００】
図７（ｃ）は、情報管理サーバ３０の記憶部３６に記録される縮小画像情報のフォルダ構造を示している。通信ネットワークＮを介して情報記録装置１０から送信された、縮小画像情報、携帯番号情報、パスワード情報及びアルバム情報が受信されると（ステップＳ２１；Ｙｅｓ）、当該縮小画像情報の記録場所を示すフォルダとして、携帯番号情報に基づく名称のフォルダが生成され、そのフォルダ以下にアルバム情報フォルダ（０３０７１１００００００１００１）が生成され、送信された縮小画像情報であるサムネイル画像情報及びスクリーンネイル画像情報が、各々フォルダ（ＴＨＭ）、（ＳＣＲＥＥＮ）以下に記録される。
【０１０１】
また、パスワード情報が記録されたファイル（ＰＡＳＳＷＤ）が、アルバム情報フォルダ（０３０７１１００００００１００１）以下に記録される。ここで、パスワード情報が記録されたファイルは、暗号化して記録されることがセキュリティ観点上好ましい。なお、情報記録装置１０で画像情報の記録を行う度に、記録に用いられるＣＤ−Ｒのアルバム情報に対応したアルバム情報フォルダが生成され、そのフォルダ以下に縮小画像情報が記録されることになる。
【０１０２】
次に、図８を参照して、携帯電話機４０から通信ネットワークＮを介して情報管理サーバ３０に記録された縮小画像情報の参照を行い、プリント注文を行うまでの動作を説明する。
図８は、縮小画像情報提供の際に、携帯電話機４０と情報管理サーバ３０で実行される各処理を説明するフローチャートである。
【０１０３】
まず、携帯電話機４０より、情報管理サーバ３０に対し、記録されている情報一覧の参照を要求する記録情報参照要求が無線通信部４４を介して送信される（ステップＳ３１）。このとき、送信される記録情報参照要求は、情報記録装置１０で記録が行われた際に取得された送信元識別情報である携帯番号情報及びＣＤ−Ｒのアルバム情報を含んでいるものとする。また、記録情報参照要求を送信する携帯電話機４０の携帯番号情報を含むこととしてもよい。
【０１０４】
記録情報参照要求の送信方法としては、図６のステップＳ２３で情報管理サーバ３０より送信される記録完了の旨の電子メールに、識別情報を含んだｈｔｍｌ等の接続先アドレスを記載して、ユーザによる選択により接続されることとしてもよいし、ユーザにより入力部４２を介して手動にて入力されることとしてもよい。また、記録されたＣＤ−Ｒのレーベル面等に識別情報がＩＣチップ、バーコード、二次元バーコード等で付帯されている場合は、携帯電話機に備えられるＩＣチップリーダ、バーコードリーダ等の装置により上記付帯された識別情報を読み取ることで記録情報参照要求の送信が行われることとしてもよい。
【０１０５】
情報管理サーバ３０では、携帯電話機４０からの記録情報参照要求を待機しており、記録情報参照要求が受信されると（ステップＳ４１；Ｙｅｓ）、認証のためのパスワード入力指示が通信制御部３４を介して携帯電話機４０に送信される（ステップＳ４２）。
【０１０６】
携帯電話機４０では、パスワード入力支持が受信されると、ＣＰＵ４１の制御により表示部４３に、パスワード入力を促す旨の画面が表示され、ユーザにより入力部４２を介してパスワードが入力されると、入力されたパスワード情報が無線通信部４４を介して情報管理サーバ３０に送信される（ステップＳ３２）。
【０１０７】
情報管理サーバ３０では、携帯電話機４０からのパスワード情報を待機しており、パスワード情報が受信されると、当該パスワード情報と前記送信された記録情報参照要求に含まれる携帯番号情報及びアルバム情報に対応付けて記録されているパスワード情報とが照合されて認証が行われる（ステップＳ４３）。ここで、両パスワード情報が一致しない場合（ステップＳ４３；Ｎｏ）、ステップＳ４２に戻り、再度パスワード入力指示の送信が携帯電話機４０に対し行われる。一方、両パスワード情報が一致する場合（ステップＳ４３；Ｙｅｓ）、記録情報が通信制御部３４を介して携帯電話機４０に送信される（ステップＳ４４）。
【０１０８】
ここで、記録情報参照要求の送信を行う携帯電話機４０の携帯番号情報が記録情報参照要求に含まれる場合、当該携帯番号情報と、ステップＳ３１で送信された記録情報参照要求に含まれる識別情報に対応付けて記録された携帯番号情報とが同一である場合は（本実施の形態の場合）、縮小画像情報に対応する画像情報の記録を行ったユーザと同一人物と判断して、パスワード認証を行わないとしてもよい。
【０１０９】
ステップＳ４４で送信される記録情報には、ステップＳ３１で送信された記録情報参照要求に含まれるアルバム情報、当該アルバム情報とともに記録された縮小画像情報に付帯される日付情報、タイトル情報等が含まれており、この記録情報が携帯電話機４０により受信されると、ＣＰＵ４１の制御により、表示部４３に記録情報が表示される（ステップＳ３３）。
【０１１０】
図９（ａ）は、情報管理サーバ３０より送信された記録情報を携帯電話機４０の表示部４３に表示した一例を示す図である。ここで、９１の領域内に、アルバム情報９１ａ、タイトル情報９１ｂ、日付情報９１ｃが表示される。当該アルバム情報が記録されている領域に複数のアルバム情報が存在する場合、図９（ａ）のように複数の領域として表示される。なお、本実施の形態では、記録されているアルバム情報を全て表示することとしているが、これに限定されず、情報管理サーバ３０に送信された記録情報参照要求に含まれるアルバム情報のみを表示させるように、記録情報が送信されるとしてもよい。
【０１１１】
図８に戻り、表示部４３に記録情報の表示が行われた携帯電話機４０では、入力部４２を介してユーザにより特定の識別情報が選択されると、ＣＰＵ１１により入力信号に基づいて、縮小画像情報の参照要求を情報管理サーバ３０に無線通信部４４を介して送信される（ステップＳ３４）。ここで、縮小画像参照要求には、前記選択された識別情報が含まれているものとする。
【０１１２】
次いで、情報管理サーバ３０では、携帯電話機４０から送信される縮小画像参照要求を受け取ると、当該縮小画像参照要求に含まれる識別情報に対応したサムネイル画像情報が通信制御部３４を介して携帯電話機４０に送信される（ステップＳ４５）。
【０１１３】
携帯電話機４０では、情報管理サーバ３０から送信されるサムネイル画像情報を受け取ると、ＣＰＵ４１の制御により、受信したサムネイル画像情報が画像情報メモリ４９に記録され、表示部４３に記憶されたサムネイル画像が表示される（ステップＳ３５）。
【０１１４】
ここで、図９（ａ）、（ｂ）、（ｃ）を参照して、携帯電話機４０の表示部４３にサムネイル画像が表示されるまでの動作を説明する。
まず、ユーザにより入力部４２を介して特定のアルバム情報が選択される。例えば、図９（ａ）で示したアルバム情報０３０７１１００００００１００１の領域９１が選択されたとすると、ＣＰＵ４１の制御によって図９（ａ）で示すように、領域９１が強調表示される。次いで、ユーザにより入力部４２を介して画像表示釦９２が押下されると、ＣＰＵ４１の制御によって、選択されたアルバム情報に対応する縮小画像参照要求が情報管理サーバ３０に無線通信部４４を介して送信される（ステップＳ３４）。なお、なお、Ｃａｎｃｅｌ釦９３がユーザにより押下された場合は、ＣＰＵ４１の制御により、識別情報の選択解除が行われ、情報管理サーバ３０と通信中である場合は、通信の切断が行われるものとする。
【０１１５】
情報管理サーバ３０からサムネイル画像が送信されると、ＣＰＵ４１の制御により、受信したサムネイル画像情報が画像情報メモリ４９に記録され、図９（ｂ）に示すように表示部４３に記憶されたサムネイル画像情報が表示される（ステップＳ３５）。ここで、ユーザにより表示部４３に表示された右釦９４が押下されることで、次のサムネイル画像情報が表示され、また、左釦９５を押下することで直前に表示されていたサムネイル画像情報が再度表示される。
【０１１６】
また、画像メモリ４９に記録されたサムネイル画像情報は、情報管理サーバ３０との通信切断後参照することが可能であり、記録されたサムネイル画像情報は、図９（ｃ）に示すように表示される。この表示方法では、領域９６にサムネイル画像情報をさらに縮小した駒画像が一覧表示され、「１」、「２」、「３」というタブ形式で画像データが分類される。ここで分類とは、例えば、撮影日や、識別情報等の基準に応じて画像データが分類される。図９（ｃ）に示した表示方法が、情報管理サーバ３０から送信されるサムネイル画像情報参照の際に表示されるとしてもよい。
【０１１７】
なお、情報管理サーバ３０より送信される縮小画像情報をサムネイル画像情報としたが、スクリーンネイル画像情報であっても両者であってもよいが、携帯電話機４０の表示部４３に表示可能なサイズの縮小画像情報であることが好ましい。例えば、携帯電話機４０がＬＣＤやＣＲＴ等の外部表示手段に表示出力可能な機能が備えられている等の場合、スクリーンネイル画像情報の参照要求を情報管理サーバ３０に送信できるとしてもよい。
【０１１８】
図８に戻り、表示部４３に表示されたサムネイル画像情報に対して、プリント注文がユーザにより入力部４２を介して入力されると、ＣＰＵ４１は入力された信号に基づいてプリント注文情報が情報管理サーバ３０に無線通信部４４を介して送信され（ステップＳ３６）、本処理は終了する。なお、プリント注文情報には、プリント注文されたサムネイル画像情報を示す情報が含まれているとし、さらに、プリント枚数やプリントサイズ等の情報が含まれているとする。
【０１１９】
情報管理サーバ３０では、携帯電話機４０から送信されるプリント注文情報を受け取ると、ＣＰＵ３１の制御により、当該プリント注文情報で示されたサムネイル画像情報に対応するスクリーンネイル画像情報が、プリント注文情報とともに通信制御部３４を介してラボ６０に送信され（ステップＳ４６）、本処理は終了する。ここで、サムネイル画像情報より解像度の高いスクリーンネイル画像情報をラボ６０に送信されることにより、高画質のプリントを行うことができる。
【０１２０】
なお、ラボ６０に送信する画像情報をスクリーンネイル画像情報としたが、ユーザにより注文されるプリント形式に応じて、サムネイル画像情報を送信するとしてもよい。また、ラボ６０に送信後、送信完了の旨の情報を、携帯電話機４０に通信制御部３４を介して送信するようにしてもよい。
【０１２１】
以上のように、本実施の形態の情報管理システム１００によれば、携帯電話機４０から取得される画像情報を記録媒体であるＣＤ−Ｒに記録するとともに当該画像情報の縮小情報（サムネイル画像情報、スクリーンネイル画像情報）、送信元識別情報（携帯番号情報）、記録媒体識別情報（アルバム情報）、パスワード情報を情報管理手段である情報管理サーバに送信して記録する。情報管理手段に対し移動通信端末である携帯電話機４０からアクセスが行われたときに、縮小画像情報の記録場所を示す携帯番号情報及びアルバム情報に基づいて要求された縮小情報を携帯電話機４０に送信する。したがって、時と場所を問わず縮小情報の参照を、ユーザは携帯電話機４０を介して行うことができる。
【０１２２】
さらに、携帯電話機４０の表示部４３に表示された縮小情報に対応するプリント注文情報を、情報管理サーバ３０に送信することで、情報管理サーバ３０は、前記送信されたプリント注文情報と当該プリント注文情報に対応する縮小情報を、通信ネットワークＮを介してプリント出力可能なプリント手段であるラボ６０に送信する。したがって、時と場所を問わずユーザはプリントの注文を行うことができる。
【０１２３】
なお、本実施の形態における記述は、本発明に係る情報通信システム１００の一例を示すものであり、これに限定されるものではない。本実施の形態における情報記録装置１０、情報管理サーバ３０、携帯電話機４０の細部構成及び詳細動作に関しては、本発明の趣旨を逸脱しない範囲で適宜変更可能である。
【図面の簡単な説明】
【０１２４】
【図１】情報管理システム１００の全体構成を示す図である。
【図２】情報記録装置１０の構成を示すブロック図である。
【図３】情報管理サーバ３０の構成を示すブロック図である。
【図４】携帯電話機４０の構成を示すブロック図である。
【図５】情報記録装置１０の情報記録方法の手順を示すフローチャートである。
【図６】情報管理サーバ３０の情報記録方法の手順を示すフローチャートである。
【図７】携帯電話機４０、ＣＤ−Ｒ、情報管理サーバ３０に記録されたフォルダ構造の一例を示す図である。
【図８】携帯電話機４０及び情報管理サーバ３０の縮小情報参照方法、プリント注文方法の手順を示すフローチャートである。
【図９】携帯電話機４０の表示部４３に表示される記録情報及び縮小画像情報の一例を示す図である。
【符号の説明】
【０１２５】
１００  情報通信システム
１０  情報記録装置
１１  ＣＰＵ
１２  入力部
１３  表示部
１４  通信制御部
１５  ＲＡＭ
１６  記憶部
１７  情報取得部
１７ａ  メディア装填部
１７ｂ  記録媒体装填部
１７ｃ  機器接続部
１８  画像処理部
１９  記録媒体識別部
２０  書込部
２１  バス
３０  情報管理サーバ
３１  ＣＰＵ
３２  入力部
３３  表示部
３４  通信制御部
３５  ＲＡＭ
３６  記憶部
３７  バス
４０  携帯電話機
４１  ＣＰＵ
４２  入力部
４３  表示部
４４  無線通信部
４５  ＲＯＭ
４６  ＲＡＭ
４７  撮影部
４８  電源部
４９  画像メモリ
５０  接続部
５１  バス
６０  ラボ
【図１】
2005184448.tif 000003
【図２】
2005184448.tif 000004
【図３】
2005184448.tif 000005
【図４】
2005184448.tif 000006
【図５】
2005184448.tif 000007
【図６】
2005184448.tif 000008
【図７】
2005184448.tif 000009
【図８】
2005184448.tif 000010
【図９】
2005184448.tif 000011